(57)【要約】【課題】表示画面の切り替え方法、装置及び電子機器を提供すること。【解決手段】ユーザが第１の表示画面でトリガーした第１のトリガー命令を受信すると、第１のトリガー命令及び第１の表示画面に現在に表示しているマルチメディア情報に基づいて、第２の表示画面を確定することと、第１の表示画面を、表示コンテンツが第１の表示画面に現在に表示しているマルチメディア情報に対応する第２の表示画面に切り替えることと、を含む。ユーザのトリガー命令によって現在の第１の表示画面をターゲットの表示コンテンツが位置する第２の表示画面に切り替えることで、所望の表示コンテンツについての速やかな照会表示を実現し、該表示コンテンツに対する照会速度を向上させ、照会時間を短縮し、ユーザの体験を向上させる。【選択図】図１
2021517311.tif 000002
【特許請求の範囲】
【請求項１】
ユーザが第１の表示画面でトリガーした第１のトリガー命令を受信すると、前記第１のトリガー命令及び前記第１の表示画面に現在に表示しているマルチメディア情報に基づいて、第２の表示画面を確定することと、
前記第１の表示画面を、表示コンテンツが前記第１の表示画面に現在に表示しているマルチメディア情報に関連付ける第２の表示画面に切り替えることと、を含む
ことを特徴とする表示画面の切り替え方法。
【請求項２】
前記第１のトリガー命令及び前記第１の表示画面に現在に表示しているマルチメディア情報に基づいて、第２の表示画面を確定することは、
前記第１のトリガー命令に基づいて、前記第１の表示画面に現在に表示しているマルチメディア情報を取得することと、
前記マルチメディア情報に対応する識別情報に応じて、前記識別情報にマッチングするコンテンツを確定し、前記識別情報にマッチングするコンテンツを表示コンテンツとすることと、
前記表示コンテンツが属される表示画面を前記マルチメディア情報に対応する第２の表示画面として確定することと、を含む
請求項１に記載の表示画面の切り替え方法。
【請求項３】
前記マルチメディア情報に対応する識別情報に応じて、前記識別情報にマッチングするコンテンツを確定し、前記識別情報にマッチングするコンテンツを表示コンテンツとすることは、
前記識別情報に応じてローカルのストレージを照会して、前記識別情報にマッチングするコンテンツを得て、前記コンテンツを表示コンテンツとすること、
または、
サーバへ前記識別情報が載せられた照会要求を送信することと、
サーバから返送され前記識別情報にマッチングするコンテンツが載せられた照会応答を受信することと、
前記照会応答に載せられた、前記識別情報にマッチングするコンテンツを表示コンテンツとすることと、を含む
請求項２に記載の表示画面の切り替え方法。
【請求項４】
前記第２の表示画面での表示コンテンツが、テキスト形式のコンテンツ及び／またはマルチメディア形式のコンテンツを含む
請求項１ないし３のいずれかに記載の表示画面の切り替え方法。
【請求項５】
前記第１のトリガー命令は、
表示画面上のスワイプ操作に対応するトリガー命令、
表示画面上のクリック操作に対応するトリガー命令、
ジェスチャー操作に対応するトリガー命令、
音声制御操作に対応するトリガー命令のうちのいずれか１種類を含む
請求項１ないし４のいずれかに記載の表示画面の切り替え方法。
【請求項６】
前記第１のトリガー命令が、ユーザによる第１の表示画面上のクリック操作に対応するトリガー命令である場合、前記クリック操作が、トリガーボタンに対するクリック操作を含む
請求項５に記載の表示画面の切り替え方法。
【請求項７】
ユーザが前記第２の表示画面でトリガーした第２のトリガー命令を受信すると、前記第２のトリガー命令に基づいて前記第２の表示画面をマルチメディア情報を表示している第１の表示画面に切り替えることをさらに含む
請求項１に記載の表示画面の切り替え方法。
【請求項８】
前記第２のトリガー命令が、
表示画面上のスワイプ操作に対応するトリガー命令、
表示画面上のクリック操作に対応するトリガー命令、
ジェスチャー操作に対応するトリガー命令、
音声制御操作に対応するトリガー命令のうちのいずれか１種類を含む
請求項７に記載の表示画面の切り替え方法。
【請求項９】
前記第２のトリガー命令がユーザによる第２の表示画面上のクリック操作に対応するトリガー命令である場合、前記クリック操作は、
トリガーボタンに対するクリック操作、または、
少なくとも一つのマルチメディア情報のうちのいずれかのマルチメディア情報に対するクリック操作を含む
請求項８に記載の表示画面の切り替え方法。
【請求項１０】
ユーザが第１の表示画面でトリガーした第１のトリガー命令を受信すると、前記第１のトリガー命令及び前記第１の表示画面に現在に表示しているマルチメディア情報に基づいて、第２の表示画面を確定する処理ユニットと、
前記第１の表示画面を、表示コンテンツが前記第１の表示画面に現在に表示しているマルチメディア情報に対応する第２の表示画面に切り替える切り替えユニットと、を含む
ことを特徴とする表示画面の切り替え装置。
【請求項１１】
前記処理ユニットは、前記第１のトリガー命令に基づいて、前記第１の表示画面に現在に表示しているマルチメディア情報を取得し、前記マルチメディア情報に対応する識別情報に応じて、前記識別情報にマッチングするコンテンツを確定し、前記識別情報にマッチングするコンテンツを表示コンテンツとし、前記表示コンテンツが属される表示画面を前記マルチメディア情報に対応する第２の表示画面として確定するように配置される
請求項１０に記載の表示画面の切り替え装置。
【請求項１２】
前記処理ユニットは、前記識別情報に応じてローカルのストレージを照会して、前記識別情報にマッチングするコンテンツを得て、前記コンテンツを表示コンテンツとするように配置され、
または、前記処理ユニットは、サーバへ前記識別情報が載せられた照会要求を送信し、前記サーバから返送された、前記識別情報にマッチングするコンテンツが載せられた照会応答を受信し、前記照会応答に載せられた、前記識別情報にマッチングするコンテンツを表示コンテンツとするように配置される
請求項１１に記載の表示画面の切り替え装置。
【請求項１３】
前記第２の表示画面での表示コンテンツが、テキスト形式のコンテンツ及び／またはマルチメディア形式のコンテンツを含む
請求項１０ないし１２のいずれかに記載の表示画面の切り替え装置。
【請求項１４】
前記トリガー命令が、
表示画面上のスワイプ操作に対応するトリガー命令、
表示画面上のクリック操作に対応するトリガー命令、
ジェスチャー操作に対応するトリガー命令、
音声制御操作に対応するトリガー命令のうちのいずれか１種類を含む
請求項１０ないし１３のいずれかに記載の表示画面の切り替え装置。
【請求項１５】
前記第１のトリガー命令がユーザによる第１の表示画面上のクリック操作に対応するトリガー命令である場合、前記クリック操作がトリガーボタンに対するクリック操作を含む
請求項１４に記載の表示画面の切り替え装置。
【請求項１６】
ユーザが前記第２の表示画面でトリガーした第２のトリガー命令を受信すると、前記切り替えユニットは、前記第２のトリガー命令に基づいて前記第２の表示画面を前記マルチメディア情報を表示している第１の表示画面に切り替える
請求項１０に記載の表示画面の切り替え装置。
【請求項１７】
前記第２のトリガー命令が、
表示画面上のスワイプ操作に対応するトリガー命令、
表示画面上のクリック操作に対応するトリガー命令、
ジェスチャー操作に対応するトリガー命令、
音声制御操作に対応するトリガー命令のうちのいずれか１種類を含む
請求項１６に記載の表示画面の切り替え装置。
【請求項１８】
前記第２のトリガー命令がユーザによる第２の表示画面上のクリック操作に対応するトリガー命令である場合、前記クリック操作は、
トリガーボタンに対するクリック操作、または、
少なくとも一つのマルチメディア情報のうちのいずれかのマルチメディア情報に対するクリック操作を含む
請求項１７に記載の表示画面の切り替え装置。
【請求項１９】
プロセッサとメモリとを含む電子機器であって、
前記メモリには操作命令が記憶され、
前記プロセッサは、前記操作命令を呼び出しすることで、請求項１ないし９のいずれかに記載の表示画面の切り替え方法を実現する
ことを特徴とする電子機器。
【請求項２０】
コンピューター命令が記憶されるコンピューター読み取り可能な記憶媒体であって、
コンピューターで前記コンピューター命令が実行される時に、請求項１ないし９のいずれかに記載の表示画面の切り替え方法を実行する
ことを特徴とするコンピューター読み取り可能な記憶媒体。
【発明の詳細な説明】
【技術分野】
【０００１】
本開示は、アプリケーションソフトウェア技術分野に関し、特に、表示画面の切り替え方法、装置及び電子機器に関するものである。
【背景技術】
【０００２】
本願は、２０１８年８月１０日に中国国家知的財産権局に出願された出願番号が２０１８１０９１２１９５．５である中国特許出願に基づく優先権を主張し、その開示のすべてをここに取り込む。
【０００３】
科学技術の高速発展や人々の生活水準の向上に伴って、携帯電話は生活に欠かせないものとなった。携帯電話の機能が完全化され豊かになるに伴って、携帯電話に基づくアプリケーションソフトウェアも多様化されていて、特に、動画、写真等のマルチメディア情報を見るためのアプリケーションソフトウェアもそれぞれの特徴を有している。しかし、これらのアプリケーションソフトウェアは、該アプリケーションソフトウェアにて動画データの放送を行う時、放送する動画データの作者及びその作者のアップロードした他の動画データ等の関連コンテンツを調査しようとする場合、通常、対応する関連コンテンツ画面に入るために、該当動画データがある放送画面でのプルダウンメニューボタンを押して、該プルダウンメニューで対応する関連コンテンツボタンをさらに選択しなければならず、該関連コンテンツ画面で所望の関連コンテンツを閲覧する。このような処理によると、関連コンテンツを調査して表示することはできるものの、実現が比較的に複雑であり、現在の放送中の動画データの関連コンテンツを高速に調査したいユーザのニーズを満たすことができず、ユーザの体験が望ましくない。
【発明の概要】
【発明が解決しようとする課題】
【０００４】
本開示は、表示画面の切り替えを行うことができる表示画面の切り替え方法、装置及び電子機器を提供する。
【０００５】
第１態様によると、ユーザが第１の表示画面でトリガーした第１のトリガー命令を受信すると、前記第１のトリガー命令及び前記第１の表示画面に現在に表示しているマルチメディア情報に基づいて、第２の表示画面を確定することと、前記第１の表示画面を、表示コンテンツが前記第１の表示画面に現在に表示しているマルチメディア情報に対応する第２の表示画面に切り替えることと、を含む表示画面の切り替え方法を提供する。
【０００６】
代替可能な実施形態において、前記第１のトリガー命令及び前記第１の表示画面に現在に表示しているマルチメディア情報に基づいて、第２の表示画面を確定することは、前記第１のトリガー命令に基づいて、前記第１の表示画面に現在に表示しているマルチメディア情報を取得することと、前記マルチメディア情報に対応する識別情報に応じて、前記識別情報にマッチングするコンテンツを確定し、前記識別情報にマッチングするコンテンツを表示コンテンツとすることと、前記表示コンテンツが属される表示画面を前記マルチメディア情報に対応する第２の表示画面として確定することと、を含む。
【０００７】
代替可能な実施形態において、前記マルチメディア情報に対応する識別情報に応じて、前記識別情報にマッチングするコンテンツを確定し、前記識別情報にマッチングするコンテンツを表示コンテンツとすることは、前記識別情報に応じてローカルのストレージを照会して、前記識別情報にマッチングするコンテンツを得て、前記コンテンツを表示コンテンツとすること、または、サーバへ前記識別情報が載せられた照会要求を送信することと、サーバから返送され前記識別情報にマッチングするコンテンツが載せられた照会応答を受信することと、前記照会応答に載せられた、前記識別情報にマッチングするコンテンツを表示コンテンツとすることと、を含む。
代替可能な実施形態において、前記第２の表示画面での表示コンテンツは、テキスト形式のコンテンツ及び／またはマルチメディア形式のコンテンツを含む。
【０００８】
代替可能な実施形態において、前記第１のトリガー命令は、表示画面上のスワイプ操作に対応するトリガー命令、表示画面上のクリック操作に対応するトリガー命令、ジェスチャー操作に対応するトリガー命令、音声制御操作に対応するトリガー命令のうちのいずれか１種類を含む。
【０００９】
代替可能な実施形態において、前記第１のトリガー命令が、ユーザによる第１の表示画面上のクリック操作に対応するトリガー命令である場合、前記クリック操作がトリガーボタンに対するクリック操作を含む。
【００１０】
代替可能な実施形態において、ユーザが前記第２の表示画面でトリガーした第２のトリガー命令を受信すると、前記第２のトリガー命令に基づいて前記第２の表示画面をマルチメディア情報を表示している第１の表示画面に切り替えることをさらに含む。
【００１１】
代替可能な実施形態において、前記第２のトリガー命令は、表示画面上のスワイプ操作に対応するトリガー命令、表示画面上のクリック操作に対応するトリガー命令、ジェスチャー操作に対応するトリガー命令、音声制御操作に対応するトリガー命令のうちのいずれか１種類を含む。
【００１２】
代替可能な実施形態において、前記第２のトリガー命令がユーザによる第２の表示画面上のクリック操作に対応するトリガー命令である場合、前記クリック操作は、トリガーボタンに対するクリック操作、または、少なくとも一つのマルチメディア情報のうちのいずれかのマルチメディア情報に対するクリック操作を含む。
【００１３】
第２の態様によると、ユーザが第１の表示画面でトリガーした第１のトリガー命令を受信すると、前記第１のトリガー命令及び前記第１の表示画面に現在に表示しているマルチメディア情報に基づいて、第２の表示画面を確定する処理ユニットと、前記第１の表示画面を、表示コンテンツが前記第１の表示画面に現在に表示しているマルチメディア情報に対応する第２の表示画面に切り替える切り替えユニットと、を含む表示画面の切り替え装置を提供する。
【００１４】
代替可能な実施形態において、前記処理ユニットは、前記第１のトリガー命令に基づいて、前記第１の表示画面に現在に表示しているマルチメディア情報を取得し、前記マルチメディア情報に対応する識別情報に応じて、前記識別情報にマッチングするコンテンツを確定し、前記識別情報にマッチングするコンテンツを表示コンテンツとし、前記表示コンテンツが属される表示画面を前記マルチメディア情報に対応する第２の表示画面として確定するように配置される。
【００１５】
代替可能な実施形態において、前記処理ユニットは、前記識別情報に応じてローカルのストレージを照会して、前記識別情報にマッチングするコンテンツを得て、前記コンテンツを表示コンテンツとするように配置される。または、前記処理ユニットは、サーバへ前記識別情報が載せられた照会要求を送信し、前記サーバから返送された、前記識別情報にマッチングするコンテンツが載せられた照会応答を受信し、前記照会応答に載せられた、前記識別情報にマッチングするコンテンツを表示コンテンツとするように配置される。
代替可能な実施形態において、前記第２の表示画面での表示コンテンツは、テキスト形式のコンテンツ及び／またはマルチメディア形式のコンテンツを含む。
【００１６】
代替可能な実施形態において、前記トリガー命令は、表示画面上のスワイプ操作に対応するトリガー命令、表示画面上のクリック操作に対応するトリガー命令、ジェスチャー操作に対応するトリガー命令、音声制御操作に対応するトリガー命令のうちのいずれか１種類を含む。
【００１７】
代替可能な実施形態において、前記第１のトリガー命令がユーザによる第１の表示画面上のクリック操作に対応するトリガー命令である場合、前記クリック操作がトリガーボタンに対するクリック操作を含む。
【００１８】
代替可能な実施形態において、ユーザが前記第２の表示画面でトリガーした第２のトリガー命令を受信すると、前記切り替えユニットは、前記第２のトリガー命令に基づいて前記第２の表示画面を前記マルチメディア情報を表示している第１の表示画面に切り替える。代替可能な実施形態において、前記第２のトリガー命令は、表示画面上のスワイプ操作に対応するトリガー命令、表示画面上のクリック操作に対応するトリガー命令、ジェスチャー操作に対応するトリガー命令、音声制御操作に対応するトリガー命令のうちのいずれか１種類を含む。
【００１９】
代替可能な実施形態において、前記第２のトリガー命令がユーザによる第２の表示画面上のクリック操作に対応するトリガー命令である場合、前記クリック操作は、トリガーボタンに対するクリック操作、または、少なくとも一つのマルチメディア情報のうちのいずれかのマルチメディア情報に対するクリック操作を含む。
【００２０】
第３態様によると、プロセッサと、メモリと、バスと、を含む電子機器であって、前記プロセッサが前記バスを介して前記メモリに接続され、前記メモリには操作命令が記憶され、前記プロセッサは、前記操作命令を呼び出しすることで、上記した表示画面の切り替え方法を実現する。
【００２１】
第４態様によると、コンピューター命令が記憶されるコンピューター読み取り可能な記憶媒体を提供し、コンピューターで前記コンピューター命令が実行される時に上記した表示画面の切り替え方法を実現する。
【００２２】
本開示の実施例において、ユーザによるトリガー命令によって、現在の第１の表示画面をターゲットの表示コンテンツが位置する第２の表示画面に切り替えることで、所望の表示コンテンツについての速やかな照会表示を実現し、該表示コンテンツに対する照会速度を向上させ、照会時間を短縮し、ユーザの体験を向上させる。
【図面の簡単な説明】
【００２３】
【図１】本開示の実施例による表示画面の切り替え方法を示すフローチャートである。
【図２】本開示の実施例による表示画面の切り替え方法の具体的な処理プロセスを示す図である。
【図３】本開示の実施例による表示画面の切り替え方法における第１の表示画面から第２の表示画面への切り替えを示す図である。
【図４】本開示の実施例による表示画面の切り替え方法における第２の表示画面から第１の表示画面への切り替えを示す図である。
【図５】本開示の実施例による表示画面の切り替え装置の構造を示す図である。
【図６】本開示の実施例による表示画面の切り替え方法に基づく電子機器の構造を示す図である。
【発明を実施するための形態】
【００２４】
本開示において表示画面の切り替え方法、装置及び電子機器を開示し、以下、図面を結合して本開示の具体的な実施形態を詳しく説明する。
【００２５】
以下、本開示の実施例を詳しく説明し、図面に前記実施例の実例を示し、図面全体において同一または類似する符号は同一または類似する素子または同一または類似する機能を有する素子を示す。以下で図面を参照して説明する実施例は例示的なものであり、本開示を限定するためのものではなく、本開示を解釈するためのものである。
【００２６】
特別な説明がない限り、ここに使用される「一」、「一つ」等の単数形式、「前記」、「該」が複数形式も含むことは当業者が理解できることである。なお、本開示の明細書に記載の用語「含む」は上記特徴、整数、ステップ、操作、素子及び／または部品があるが、一つまたは複数の他の特徴、整数、ステップ、操作、素子、部品及び／またはこれらの組み合わせが存在するまたは追加することが可能であることを排除するものではない。素子が他の素子に「接続」または「結合」されると記載した場合、他の素子に直接接続または結合することができ、または中間素子が存在することも可能であることは言うまでもない。また、ここに使用される用語「接続」または「結合」は無線接続または無線結合も含む。ここに使用される「及び／または」は一つまたは複数の関連するものを全部またはいずれか一つまたはすべての組み合わせを含む。
【００２７】
特別に定義されていない限り、ここに使用されるすべての用語（技術用語と科学用語を含む）が本開示が属される技術分野の技術者が一般的に理解している意味と同様な意味を持つことは当業者が理解できることである。例えば汎用の辞書に定義された用語は既存技術の前後での意味に一致する意味を持ち、特別に定義されていない限り、理想化または過度に正式な意味で解釈することがない。
本開示の目的、技術案とメリットを一層明確化するため、以下、図面を結合して本開示の実施形態をさらに詳しく説明する。
図１に示すように、本開示による表示画面の切り替え方法は、以下のステップを含む。
【００２８】
第１の表示画面でトリガーした第１のトリガー命令をユーザが受信すると、前記第１のトリガー命令及び前記第１の表示画面に現在に表示しているマルチメディア情報に基づいて、第２の表示画面を確定する（ステップＳ１０１）。
【００２９】
前記第１の表示画面を第２の表示画面に切り替えし（ステップＳ１０２）、前記第２の表示画面での表示コンテンツが前記第１の表示画面に現在に表示しているマルチメディア情報に対応する。
【００３０】
本実施例において、ユーザの第１のトリガー命令によって、現在の第１の表示画面をターゲットの表示コンテンツが位置する第２の表示画面に切り替えることで、所望の表示コンテンツについての速やかな照会表示を実現し、該表示コンテンツに対する照会速度を向上させ、照会時間を短縮し、ユーザの体験を向上させる。
【００３１】
上記本開示の実施例による技術案に基づいて、以下、具体的な実施例によって該技術案を詳しく説明し、該実施例における第１の表示画面及び第２の表示画面はいずれも、端末機器上の表示画面であり、第１の表示画面は具体的に端末機器に現在マルチメディア情報を放送している際の表示画面であり、第２の表示画面は具体的に端末機器に該第１の表示画面に現在放送しているマルチメディア情報と関連関係を持つ表示コンテンツを表示する際の表示画面である。図２に示すように、本開示の実施例による表示画面の切り替え方法は以下のステップを含むことができる。
端末機器は、ユーザが第１の表示画面においてトリガーした第１のトリガー命令を受信する（ステップＳ２０１）。
具体的に、該第１のトリガー命令は、以下の命令を含むことができる。
ａ、第１の表示画面上のスワイプ操作に対応するトリガー命令
【００３２】
ここで、該ａにおけるスワイプ操作は、該第１の表示画面での左スワイプ、右スワイプ、上スワイプ、下スワイプのような任意方向のスワイプ操作であることができるが、これらのスワイプ方向に限定されず、他の任意の方向へのスワイプであることもできる。
ｂ、表示画面上のクリック操作に対応するトリガー命令
【００３３】
トリガー命令がユーザによる第１の表示画面上のクリック操作に対応するトリガー命令である場合、該クリック操作がトリガーボタンに対するクリック操作を含む。
【００３４】
該トリガー命令は主に、現在の表示画面がプリセットの表示画面でありすなわち第１の表示画面から第２の表示画面への切り替え操作処理を行うとする場合に用いられる。
ここで、上述したトリガーボタンの設計について、第１の表示画面上の任意の位置に予め設定されていることができる。
ｃ、ジェスチャー操作に対応するトリガー命令
【００３５】
ユーザから対応するジェスチャー動作を受信すると対応する命令をトリガーするように、例えば左スワイプのジェスチャー、右スワイプのジェスチャー等の幾つかの固定されたジェスチャー動作を表示画面の切り替えのトリガー命令として予め配置することができる。該ジェスチャー動作の場合、ユーザが自分の好みに応じて配置することもできる。
ｄ、音声制御操作に対応するトリガー命令
【００３６】
該音声制御操作のトリガー命令は予め配置されることができる。そして、ユーザが自分の好みに応じてショートカットの音声制御操作命令を配置することができ、例えば、命令「１」をタッチするとユーザの第２の表示画面への切り替えを表することができる。一具体的な実施例において、現在の第１の表示画面にマルチメディア情報を表示している場合、ユーザから「１」の音声を受信すると、「１」に基づいて、現在第１の表示画面を第２の表示画面に切り替える。
端末機器が、第１のトリガー命令に基づいて、第１の表示画面に現在に表示しているマルチメディア情報を取得する（ステップＳ２０２）。
【００３７】
本ステップにおいて、ユーザがトリガーした第１のトリガー命令を受信した後、該第１のトリガー命令に基づいて現在の第１の表示画面に表示しているマルチメディア情報の取得を行うことで、現在第１の表示画面に表示している表示コンテンツに対する照会処理によって、現在に表示しているマルチメディア情報を確定することができる。
端末機器が、取得したマルチメディア情報に基づいて、該マルチメディア情報に対応する第２の表示画面を確定する（ステップＳ２０３）。
【００３８】
本ステップにおいて、現在に表示しているマルチメディア情報を取得した後、該マルチメディア情報に対応する識別情報に応じて、それにマッチングするコンテンツを確定して、そのコンテンツを表示コンテンツとする。
【００３９】
ここで、上記該マルチメディア情報に対応する識別情報に応じて、それにマッチングするコンテンツを確定して、そのコンテンツを表示コンテンツとする処理は、以下の２種類の処理形態を含むことができる。
ａ、端末機器のローカル処理
【００４０】
具体的に、該識別情報に基づいて、ローカルのストレージを照会し、該識別情報にマッチングするコンテンツを該ローカルのストレージで探して、探し出したコンテンツを表示コンテンツとする。
ｂ、サーバ側の処理
【００４１】
具体的に、端末機器が該識別情報が載せられた照会要求をサーバに送信し、サーバが該照会要求に載せられた識別情報に基づいてデータベースの照会を行い、サーバが該識別情報にマッチングするコンテンツを探し出した後、そのコンテンツを照会応答に載せて該端末機器に送信し、端末機器が該照会応答に載せられたコンテンツを表示コンテンツとする。
【００４２】
さらに、該表示コンテンツが属される表示画面を、該マルチメディア情報に対応する第２の表示画面として確定する。ここで、該第２の表示画面に表示される表示コンテンツは、テキスト形式のコンテンツ及び／またはマルチメディア形式のコンテンツを含むことができる。該テキスト形式のコンテンツとしては、例えば作者の個人情報、関連紹介等を含むことができる。該マルチメディア形式のコンテンツとしては、例えば作者が撮像したマルチメディア情報及び作者がアップロードしたマルチメディア情報を含むことができる。
端末機器が、第１の表示画面を第２の表示画面に切り替える（ステップＳ２０４）。
【００４３】
本ステップにおいて、上述した確定された第２の表示画面に基づいて、端末機器が現在の第１の表示画面を切り替えし、ここで、第２の表示画面での表示コンテンツは第１の表示画面に現在に表示しているマルチメディア情報と関連関係を持つ。
【００４４】
上記ステップＳ２０１〜Ｓ２０４において、受信した第１の表示画面での第１のトリガー命令及びそれに表示されたマルチメディア情報に基づいて第２の表示画面に切り替える処理を説明し、以下、これに基づいて、第２の表示画面から第１の表示画面への切り替え処理をさらに説明する。
端末機器が、第２の表示画面でトリガーした第２のトリガー命令をユーザが受信する（ステップＳ２０５）。
ここで、ユーザが第２の表示画面でトリガーした第２のトリガー命令の内容は上述したステップＳ２０１に記載の第１のトリガー命令と同様である。
【００４５】
ただ、該第２のトリガー命令は、トリガー命令がユーザによる第２の表示画面上のクリック操作に対応するトリガー命令である場合、該クリック操作が、第２の表示画面上のトリガーボタンに対するクリック操作、または、第２の表示画面上に表示された少なくとも一つのマルチメディア情報のうちのいずれか一つのマルチメディア情報に対するクリック操作を含むことで、第１のトリガー命令と相違する。
該トリガー命令は主に、現在の表示画面が第２の表示画面でありすなわち第２の表示画面から第１の表示画面への切り替え操作処理に用いられる。
【００４６】
該表示画面上のクリック操作が第２の表示画面上に表示された少なくとも一つのマルチメディア情報のうちのいずれか一つのマルチメディア情報に対するクリック操作であることについて、一具体的な実施例において、現在の第２の表示画面上にマルチメディア情報Ｍ１、マルチメディア情報Ｍ２、マルチメディア情報Ｍ３の三つが表示されていて、ユーザが自分の好みに応じてマルチメディア情報Ｍ２を選択すると、この時、その後の処理において、ユーザが選択したマルチメディア情報Ｍ２に応じて、第１の表示画面に該マルチメディア情報Ｍ２を表示する。
ここで、第２の表示画面上のトリガーボタンの場合、第２の表示画面上の任意の位置に予め配置されることができる。
端末機器が、第２のトリガー命令に基づいて、第２の表示画面を第１の表示画面に切り替える（ステップＳ２０６）。
【００４７】
本ステップにおいても、受信した第２のトリガー命令に基づいて第１の表示画面を確定し、その確定するプロセスは上述したステップＳ２０２〜Ｓ２０３の記載と同様である。
【００４８】
本ステップにおいて、特別な処理形態があり、すなわち、第２のトリガー命令が第２の表示画面上に表示された少なくとも一つのマルチメディア情報のうちのいずれか一つのマルチメディア情報に対するクリック操作である場合、上述したステップＳ２０２〜Ｓ２０３に記載の処理を行わずに直接、ユーザのクリック操作によって選択されたマルチメディア情報に基づいて表示画面の切り替えを行うことができる。一具体的な実施例において、現在の表示画面が第２の表示画面であり、且つ該第２の表示画面にマルチメディア情報Ｍ１、マルチメディア情報Ｍ２、マルチメディア情報Ｍ３の三つのマルチメディア情報を表示していて、ユーザによるクリック操作に対応するトリガー命令がマルチメディア情報Ｍ２の選択であると、該トリガー命令に基づいて、端末機器は直接に表示画面を現在の第２の表示画面から第１の表示画面に切り替えし、且つ切り替えした後の第１の表示画面での表示コンテンツはマルチメディア情報Ｍ２である。
【００４９】
ここで、上述した第１の表示画面から第２の表示画面への切り替え処理プロセス及び第２の表示画面から第１の表示画面への切り替え処理プロセスにおいて、第２の表示画面から第１の表示画面への切り替え処理プロセスが上述した特別な処理形態を含む以外、該二つの処理プロセスにおけるトリガー命令は同様なトリガー命令を用いることができ、例えばいずれもスワイプ操作を用いて、且つスワイプ操作が同様であり（例えば、左に１回スワイプすると、第１の表示画面から第２の表示画面に切り替えし、左に２回スワイプすると、第２の表示画面から第１の表示画面に切り替える）、異なるトリガー命令を用いることもできる。
【００５０】
本開示において、ユーザのトリガー命令によって第１の表示画面と第２の表示画面との間の切り替えを実現して、所望の表示コンテンツについての速やかな照会表示を実現し、照会速度を向上させ、照会表示プロセスを短縮し、照会表示時間を減少し、ユーザの体験を向上させる。
【００５１】
上記本開示による技術案に基づいて、以下、一具体的な実施例によって該技術案を説明し、該具体的な実施例において放送されるマルチメディア情報が映像情報である場合を例にする。なお、該具体的な実施例及びその内容は本開示の方案の可能な実現形態を説明するためのものであり、本開示の方案の全ての実現形態ではない。
【００５２】
図３の３ａに示すように、端末機器の第１の表示画面上に現在映像情報Ｎを放送していて、ユーザが該第１の表示画面における任意の位置でトリガーした左スワイプ操作に対応する第１のトリガー命令を受信すると、図３の３ｂに示すように、該左スワイプ操作に対応する第１のトリガー命令に基づいて、現在の放送中の映像情報Ｎを取得し、サーバによる照会処理によって該映像情報Ｎに対応する個人情報、映像情報Ｍ１、映像情報Ｍ２及び映像情報Ｍ３を確定し、確定された個人情報、映像情報Ｍ１、映像情報Ｍ２及び映像情報Ｍ３が属される表示画面をターゲットの第２の表示画面として確定した後、現在の第１の表示画面に表示画面の切り替え処理を行って、第２の表示画面を表示し、図３の３ｃに示すように、該第２の表示画面上に上述した確定された個人情報、映像情報Ｎ、映像情報Ｍ１、映像情報Ｍ２及び映像情報Ｍ３を表示する。
【００５３】
第２の表示画面に切り替えした後、図４の４ａに示すように、該第２の表示画面の表示中に、表示する映像情報Ｍ２に対するユーザのクリック操作に対応する第２のトリガー命令を受信すると、図４の４ｂに示すように、該クリック操作に対応する第２のトリガー命令に基づいて、該映像情報Ｍ２をターゲットの表示コンテンツとして確定して、且つ該映像情報Ｍ２を第１の表示画面に表示しなければならないため、これに基づいて表示画面の切り替えを行い、切り替えした後は第１の表示画面を表示し、図４の４ｃに示すように、該第１の表示画面上に上述した確定した映像情報Ｍ２を表示する。
【００５４】
本開示の実施例において表示画面の切り替え装置５０を提供し、図５に示すように、該表示画面の切り替え装置５０は、処理ユニット５１と、切り替えユニット５２と、を含むことができる。
【００５５】
処理ユニット５１は、ユーザが第１の表示画面でトリガーした第１のトリガー命令を受信すると、前記第１のトリガー命令及び前記第１の表示画面に現在に表示しているマルチメディア情報に基づいて、第２の表示画面を確定する。
【００５６】
切り替えユニット５２は、前記第１の表示画面を第２の表示画面に切り替えし、前記第２の表示画面での表示コンテンツは前記第１の表示画面に現在に表示しているマルチメディア情報に対応する。
【００５７】
処理ユニット５１は、前記第１のトリガー命令に基づいて、前記第１の表示画面に現在に表示しているマルチメディア情報を取得し、前記マルチメディア情報に対応する識別情報に応じて、前記識別情報にマッチングするコンテンツを確定し、前記識別情報にマッチングするコンテンツを表示コンテンツとし、前記表示コンテンツが属される表示画面を前記マルチメディア情報に対応する第２の表示画面として確定するように構成されることができる。
【００５８】
処理ユニット５１は、前記識別情報に応じてローカルのストレージを照会して、前記識別情報にマッチングするコンテンツを得て、前記コンテンツを表示コンテンツとするように配置されることができる。または、処理ユニット５１は、サーバへ前記識別情報が載せられた照会要求を送信し、前記サーバから搬送された照会応答を受信し、前記照会応答に前記識別情報にマッチングするコンテンツが載せられていて、前記照会応答に載せられた、前記識別情報にマッチングするコンテンツを表示コンテンツとするように構成されることができる。
ここで、前記第２の表示画面での表示コンテンツは、テキスト形式のコンテンツ及び／またはマルチメディア形式のコンテンツを含む。
【００５９】
前記第１のトリガー命令は、表示画面上のスワイプ操作に対応するトリガー命令、表示画面上のクリック操作に対応するトリガー命令、ジェスチャー操作に対応するトリガー命令、音声制御操作に対応するトリガー命令のうちのいずれか１種類を含むことができる。
【００６０】
また、前記第１のトリガー命令がユーザによる第１の表示画面上のクリック操作に対応するトリガー命令である場合、前記クリック操作はトリガーボタンに対するクリック操作を含む。
【００６１】
また、ユーザが前記第２の表示画面でトリガーした第２のトリガー命令を受信すると、切り替えユニット５２は前記第２のトリガー命令に基づいて前記第２の表示画面を第１の表示画面に切り替えることができ、前記第１の表示画面に前記マルチメディア情報が表示されている。
【００６２】
前記第２のトリガー命令は、表示画面上のスワイプ操作に対応するトリガー命令、表示画面上のクリック操作に対応するトリガー命令、ジェスチャー操作に対応するトリガー命令、音声制御操作に対応するトリガー命令のうちのいずれか１種類を含むことができる。
【００６３】
前記第２のトリガー命令がユーザによる第２の表示画面上のクリック操作に対応するトリガー命令である場合、前記クリック操作は、トリガーボタンに対するクリック操作、または、少なくとも一つのマルチメディア情報のうちのいずれかのマルチメディア情報に対するクリック操作を含む。
【００６４】
本開示において、ユーザのトリガー命令によって第１の表示画面と第２の表示画面との間の切り替えを実現して、所望の表示コンテンツについての速やかな照会表示を実現し、照会速度を向上させ、照会表示プロセスを短縮し、照会表示時間を減少し、ユーザの体験を向上させる。
【００６５】
本開示の実施例において、図６に示すように、電子機器を提供する。該電子機器２０００は、プロセッサ２００１と、メモリ２００２と、機器の異なる部品を接続して異なる部品間の通信を実現するための通信バス２００３と、を含むが、これらに限定されることはない。メモリ２００２にコンピュータープログラムとデータが記憶され、プロセッサ２００１はメモリ２００２中のコンピュータープログラムを呼び出して対応する動作や処理を実行することで、本開示の実施例中の方法を実現する。図面に示す電子機器２０００の構造は本開示の実施例を限定するものではない。
【００６６】
電子機器２０００はディスプレイ２００４をさらに含むことができる。プロセッサ２００１が動作または処理を実行する過程において、ディスプレイ２００４を介して、表示する必要のあるまたは表示可能なユーザインタフェース、提示情報または端末ユーザとのやり取り情報をユーザに表示する。
【００６７】
プロセッサ２００１はＣＰＵ、汎用のプロセッサ、ＤＳＰ、ＡＳＩＣ、ＦＰＧＡまたは他のプログラマブルロジック機器、トランジスタロジック素子、ハードウェア部品またはこれらの任意の組み合わせであることができる。本開示の開示内容で説明した各種の例示的にロジックブロック、モジュール、回路を実現または実行することができる。プロセッサ２００１は、計算機能を実現する組み合わせであることもでき、例えば一つまたは複数のマイクロプロセッサの組み合わせ、ＤＳＰとマイクロプロセッサとの組み合わせ等であることができる。
【００６８】
通信バス２００３は上記部品間で情報を伝送する経路を含むことができる。通信バス２００３はＰＣＩバスまたはＥＩＳＡバス等であることができる。通信バス２００３は、アドレズバス、データバス、制御バス等に分けられる。表示の便宜を図るため、図面には一つの太い線で表示したが、１本のバスまたは１タイプのバスのみがあると限定することではない。
【００６９】
メモリ２００２は、ＲＯＭまたは静的情報と命令を記憶可能な他のタイプの静的記憶装置、ＲＡＭまたは、情報と命令を記憶可能な他のタイプの動的記憶装置であることができれば、ＥＥＰＲＯＭ、ＣＤ−ＲＯＭまたは他のオプティカルディスクストレージ、光ディスクストレージ（圧縮光ディスク、レーザディスク、光ディスク、デジタルユニバーサルディスク、ブルーレイディスク等を含む）、磁気ディスク記憶媒体または他の磁気記憶装置、または命令またはデータ構造形式を有する所望のプログラムコードを携帯または記憶してコンピューターがアクセス可能な任意の他の媒体であることもできるが、これらに限定されることはない。
電子機器２０００は、入出力部品２００５をさらに含むことができ、入出力部品２００５を介して、情報の入出力及びユーザと機器とのやり取りを実現する。
【００７０】
実際の応用において、入出力部品２００５は実際の需要に応じて配置することができ、キーボード、マウス、タッチパネル、音声部品、動画部品等を含むが、これらに限定されることはない。例えば電子機器がタッチパネルを介してユーザのトリガー命令を受信することができ、プロセッサがユーザのトリガー命令に応じて対応する動作または処理を実行することができる。音声部品／動画部品は、機器の音声信号／動画信号の入力及び／または出力を行うように構成されることができる。音声部品はスピーカー、マイク等を含むがこれらに限定されることはなく、動画部品はカメラ、動画インタフェース（ＨＤＭＩ（登録商標）、ＶＧＡ及び／またはＤＶＩインタフェース）等を含むがこれらに限定されることはない。
【００７１】
なお、上記各入出力部品２００５は単独または組み合わせて情報の処理を実現することができる。例えばタッチパネルを介してユーザの音楽放送命令を受信すると、音声部品によって音楽の放送を行うことができる。
【００７２】
電子機器２０００は、通信部品２００６をさらに含むことができ、通信部品２００６は、電子機器２０００と他の機器（例えば電子機器、記憶装置）との通信やり取りに用いられるように配置される。ここで、通信部品２００６は、有線通信部品（例えば、３Ｇ、４Ｇ、５Ｇ等の移動ネットワーク通信ユニット）、無線通信部品（例えば、ブルートゥース（登録商標）、ＷＩＦＩ通信ユニット）、ＵＳＢ通信部品、音声部品、動画部品等を含むがこれらに限定されることはない。
【００７３】
電子機器２０００は、電源管理モジュール２００７をさらに含むことができ、電源管理モジュール２００７は、機器の電力供給、機器の電力エネルギーの変換及び電源の充放電管理等に用いられるように構成されるが、これに限定されることはなく、該モジュールに充電インタフェースが配置されることもできる。
【００７４】
なお、本開示の実施例の電子機器は、スマートフォン、スマートＴＶ、パーソナルデジタルアシスタント（Ｐｅｒｓｏｎａｌ  Ｄｉｇｉｔａｌ  Ａｓｓｉｓｔａｎｔ、ＰＤＡ）、タブレットコンピューター、デスクトップコンピューター、携帯式電子機器（携帯式コンピューターなど）、車載機器等として実現されることができるが、これに限定されることはない。
【００７５】
本開示の実施例においてコンピューター読み取り可能な記憶媒体をさらに提供し、前記コンピューター記憶媒体にはコンピューター命令が記憶され、該コンピューター命令がコンピューターで実行される時に、上述した表示画面の切り替え方法を実行することができる。
【００７６】
コンピュータープログラム命令によってこれらの構造図及び／またはブロック図及び／またはフローチャートに示す各ブロック及びこれらの構造図及び／またはブロック図及び／またはフローチャートに示すブロックの組み合わせを実現することが可能であることを当業者は理解できる。これらのコンピュータープログラム命令を汎用のコンピューター、専用コンピューターまたは他のプログラム可能なデータ処理方法のプロセッサに提供して実現させることで、コンピューターまたは他のプログラム可能なデータ処理方法のプロセッサによって本開示に開示された構造図及び／またはブロック図及び／またはフローチャートに示すブロックまたは複数のブロックに指定された方案を実行することが可能であることを当業者は理解できる。
【００７７】
ここで、本開示の装置の各モジュールを一体に集積することができれば、分散して配置することもできる。上記モジュールを一つのモジュールに合併することができれば、さらに複数のサブモジュールに分割することもできる。
図面は実施例を示すための図面であり、図面に示すモジュールまたはプロセスが本開示の実施に不可欠なものであることもないことを当業者は理解できる。
【００７８】
実施例中の装置におけるモジュールを実施例の説明に応じて実施例の装置に分散させることができ、対応する変更を行って本実施例とは異なる一つまたは複数の装置に位置させることもできることを当業者は理解できる。上記実施例のモジュールを一つのモジュールに合併することができれば、さらに複数のサブモジュールに分割することもできる。
上記本開示の番号は説明の便宜を図るためのものであり、実施例の優劣を表すものではない。
【００７９】
以上は本開示の幾つかの具体的な実施例にすぎず、本開示はこれらに限定されず、本開示の原理に基づいて当業者が想到できる変形はすべて本開示の保護範囲に含まれる。
【図１】
2021517311.tif 000003
【図２】
2021517311.tif 000004
【図３】
2021517311.tif 000005
【図４】
2021517311.tif 000006
【図５】
2021517311.tif 000007
【図６】
2021517311.tif 000008
【国際調査報告】
2021517311.tif 000009
2021517311.tif 000010
2021517311.tif 000011
2021517311.tif 000012